(57)【特許請求の範囲】
【請求項１】
長尺シートが円柱状又は円筒状巻取芯材に巻付けられてなる巻回体であって、
前記長尺シートの巻付け開始端部が、その全幅に亘って、前記長尺シートよりも薄い端部を有する挿入カバーによって、直接的に又は前記長尺シートの巻回層を隔てて覆われており、
前記挿入カバーと接触している前記長尺シート巻回層の裏側表面は、直接又は粘着剤層を介して、幅方向ではその全幅に亘って前記挿入カバーと接触し、長さ方向では前記挿入カバーの巻付上流側端部から巻付下流側端部の全域で前記挿入カバーと接触し、
前記長尺シートの厚さ（Ａ）と前記挿入カバーの端部の厚さ（Ｂ）との比（Ｂ／Ａ）が２／３以下であり、そして
前記挿入カバーが、反発パラメータが２０ｇ〜２０００ｇの材料からなる
ことを特徴とする、巻回体（ただし、映像源から投影された映像光を反射させて観察可能とするスクリーン本体と、前記スクリーン本体を円筒面に巻き取り可能な巻き芯と、前記円筒面を覆うように設けられた第１の被覆部材と、前記第１の被覆部材の表面よりも底面の低い溝形状であって、前記スクリーン本体の先端部が挿入されたスクリーン先端挿入部と、を備える巻き取り型反射スクリーンを除く）。
【請求項２】
長尺シートを円柱状又は円筒状巻取芯材に巻付ける際に、前記長尺シートの巻付け開始端部を、その全幅に亘って、前記長尺シートよりも薄い端部を有する挿入カバーによって直接的に又は前記長尺シートの巻回層を隔てて覆った後に、その挿入カバーの上から更に前記長尺シートの巻付けを行い、
前記挿入カバーと直接に接触させる前記長尺シート巻回層の裏側表面は、幅方向ではその全幅に亘って前記挿入カバーと接触させ、長さ方向では前記挿入カバーの巻付上流側端部から巻付下流側端部の全域で前記挿入カバーと接触させ、
前記長尺シートの厚さ（Ａ）と前記挿入カバーの端部の厚さ（Ｂ）との比（Ｂ／Ａ）が２／３以下であり、そして
前記挿入カバーが、反発パラメータが２０ｇ〜２０００ｇの材料からなる
ことを特徴とする、巻回体（ただし、映像源から投影された映像光を反射させて観察可能とするスクリーン本体と、前記スクリーン本体を円筒面に巻き取り可能な巻き芯と、前記円筒面を覆うように設けられた第１の被覆部材と、前記第１の被覆部材の表面よりも底面の低い溝形状であって、前記スクリーン本体の先端部が挿入されたスクリーン先端挿入部と、を備える巻き取り型反射スクリーンを除く）の製造方法。
【請求項３】
長尺シートを円柱状又は円筒状巻取芯材に巻付ける際に、前記長尺シートの巻付け開始端部を、その全幅に亘って、前記長尺シートよりも薄い端部を有する挿入カバーによって直接的に又は前記長尺シートの巻回層を隔てて覆うことができるように、前記長尺シートの裏側表面に前記挿入カバーを予め貼着させた長尺シートを用いて、前記巻取芯材に対して前記長尺シートの巻付けを行い、
前記挿入カバーと粘着剤層を介して接触させる前記長尺シート巻回層の裏側表面は、幅方向ではその全幅に亘って前記挿入カバーと接触させ、長さ方向では前記挿入カバーの巻付上流側端部から巻付下流側端部の全域で前記挿入カバーと接触させ、
前記長尺シートの厚さ（Ａ）と前記挿入カバーの端部の厚さ（Ｂ）との比（Ｂ／Ａ）が２／３以下であり、そして
前記挿入カバーが、反発パラメータが２０ｇ〜２０００ｇの材料からなる
ことを特徴とする、巻回体（ただし、映像源から投影された映像光を反射させて観察可能とするスクリーン本体と、前記スクリーン本体を円筒面に巻き取り可能な巻き芯と、前記円筒面を覆うように設けられた第１の被覆部材と、前記第１の被覆部材の表面よりも底面の低い溝形状であって、前記スクリーン本体の先端部が挿入されたスクリーン先端挿入部と、を備える巻き取り型反射スクリーンを除く）の製造方法。
【発明の詳細な説明】
【技術分野】
【０００１】
本発明は、巻回体、その製造方法、及び積層部含有長尺シートに関する。本発明によれば、巻取芯材から巻き戻した長尺シートの段差跡を低減ないし解消することができる。
【背景技術】
【０００２】
長尺シート状の原反（紙、プラスチックフィルム、又は金属箔等）や、粘着テープもしくは床材、あるいは家庭において使用するラップフィルム又はアルミフォイル等は、一般に、紙管等の円筒状ないし円柱状巻取芯材の周面に巻回した状態で保存ないし輸送され、使用前に巻取芯材から巻き戻し、平坦な状態にしてから実際に使用されている。
このような従来の巻回体では、図１０に示すように、長尺シート４１の巻付け開始端部４２を、その全幅に亘って粘着テープで紙管等の巻取芯材４３の周面に固定するのが一般的方法である。しかしながら、この方法では、巻付け開始端部４２と巻取芯材４３の表面との間に段差が発生するので、巻付け開始端部４２と２週目の長尺シート４１の裏側表面との間に空隙部４４が発生する。長尺シート４１を巻取芯材４３に巻き付ける際には、長尺シート４１を巻取芯材４３側へ押しつける力を連続的に付加するので、空隙部４４に相当する領域に窪み４５が形成される。窪み４５の深さは、巻取芯材に近い周回層から離れるのに従って減少していくが、巻回体４０は、前記窪み４５を含有したままで保存されることになるので、長尺シート４１の使用前に巻取芯材４３から巻き戻すと、図１１に示すように、長尺シート４１には、周期的な段差跡４６が形成される。このような段差跡４６を有する部分は、用途によっては不良部分になるので、歩留まりが悪化する。
【０００３】
前記の段差跡を防止ないし軽減する手段は、種々提案されている。例えば、長尺シートの巻付け開始端部の一部のみを粘着テープで巻取芯材表面に貼着すると共に、巻付け開始端部を、巻取り方向に沿う一方の辺から他方の辺に向かって斜めに形成する方法が知られている（特許文献１）。しかしながら、この方法では、巻付け開始端部の固着が不充分になる場合があるだけでなく、長尺シート端部の加工処理が必要になるので、煩雑である。
また、幅方向に沿って切欠部を設けた巻取芯材や幅方向に沿って弾性体を含む凹部を設けた巻取芯材（特許文献２）、幅方向に沿って粘着性軟質樹脂を埋設した凹部を設けた巻芯（特許文献３）、及び長尺シートの厚み分の段差部を幅方向に沿って設けたフィルム巻回体（特許文献４）が知られている。しかしながら、これらの巻取芯材は、いずれも巻取芯材に加工処理を実施する必要があり、操作が煩雑であるだけでなく、製造コストの上昇を招く。
更に、長尺シート状床材の裏面側に発泡性緩衝材を設け、長尺シート状床材を巻取芯材に巻き付けた際に形成される空隙部をその緩衝材で埋める手段も知られている（特許文献５及び６）。しかしながら、この手段では、発泡性緩衝材を設ける位置について、厳密な調整が必要になり、操作が極めて煩雑である。しかも、巻付けに使用する巻取芯材が限定されることになる。
【先行技術文献】
【特許文献】
【０００４】
【特許文献１】特開平５−１６２２２号公報
【特許文献２】実開平６−８０７６４号公報
【特許文献３】特開２００５−７５５２１号公報
【特許文献４】実用新案登録第３１１８６８８号公報
【特許文献５】特開平６−３４１２１４号公報
【特許文献６】特開２００４−２１７３４９号公報
【発明の概要】
【発明が解決しようとする課題】
【０００５】
従って、本発明の課題は、長尺シート端部の加工や巻取芯材への加工が不要であり、厳密な位置調整の必要がなく、任意の巻取芯材に適用可能で、しかも使用操作が簡便で、製造コストも低廉な手段によって、前記段差跡の発生を低減ないし防止する手段を提供することにある。
【課題を解決するための手段】
【０００６】
前記の課題は、本発明により、
長尺シートが巻取芯材に巻付けられてなる巻回体であって、
前記長尺シートの巻付け開始端部が、その全幅に亘って、前記長尺シートよりも薄い端部を有する挿入カバーによって覆われており、
前記長尺シートの厚さ（Ａ）と前記挿入カバーの端部の厚さ（Ｂ）との比（Ｂ／Ａ）が２／３以下であり、そして
前記挿入カバーが、反発パラメータが３ｇ〜２０００ｇの材料からなる
ことを特徴とする、巻回体によって解決することができる。
【０００７】
また、本発明は、
長尺シートを巻取芯材に巻付ける際に、前記長尺シートの巻付け開始端部を、その全幅に亘って、前記長尺シートよりも薄い端部を有する挿入カバーによって直接的に又は前記長尺シートの巻回層を隔てて覆った後に、その挿入カバーの上から更に前記長尺シートの巻付けを行い、
前記長尺シートの厚さ（Ａ）と前記挿入カバーの端部の厚さ（Ｂ）との比（Ｂ／Ａ）が２／３以下であり、そして
前記挿入カバーが、反発パラメータが３ｇ〜２０００ｇの材料からなる
ことを特徴とする、巻回体の製造方法にも関する。
【０００８】
更に、本発明は、
巻取芯材に巻付ける長尺シートであって、その長尺シートの巻付け開始端部から長さ方向に内側の表面に、前記長尺シートよりも薄い端部を有すると共に前記長尺シートに対して剥離可能に担持された挿入カバーとの積層部を含み、
前記長尺シートの厚さ（Ａ）と前記挿入カバーの端部の厚さ（Ｂ）との比（Ｂ／Ａ）が２／３以下であり、そして
前記挿入カバーが、反発パラメータが３ｇ〜２０００ｇの材料からなる
ことを特徴とする、積層部含有長尺シートにも関する。
【発明の効果】
【０００９】
本発明においては、長尺シートを巻取芯材に巻き付ける際に、巻付け開始端部と巻取芯材表面との間の段差を挿入カバーによって解消することができるので、長尺シートを巻取芯材から巻き戻して使用する際に、段差跡の発生を低減ないし防止することができる。しかも、操作は、挿入カバーを単に段差の上から被せるだけであり、長尺シート端部の加工や巻取芯材への加工が不要であり、厳密な位置調整の必要がなく、任意の巻取芯材に適用可能で、製造コストも低廉である。
【図面の簡単な説明】
【００１０】
【図１】挿入カバーによって段差跡が解消される本発明の原理を模式的に示す断面図である。
【図２】別の態様の挿入カバーによって段差跡が解消される本発明の原理を模式的に示す断面図である。
【図３】長尺シートの表面に挿入カバーを担持する本発明による積層部含有長尺シートの模式的断面図である。
【図４】長尺シートの表面に別の態様の挿入カバーを担持する本発明による積層部含有長尺シートの模式的断面図である。
【図５】長尺シートの表面に更に別の態様の挿入カバーを担持する本発明による積層部含有長尺シートの模式的断面図である。
【図６】反発パラメータの測定方法を示す模式的斜視図である。
【図７】反発パラメータ測定の際のストロークを説明する模式的側面図である。
【図８】反発パラメータの測定に用いる押圧プローブの先端平坦接触部の構造を示す模式的側面図である。
【図９】反発パラメータ測定の際に用いるストロークの意味の説明図である。
【図１０】従来技術による巻回体の模式的断面図である。
【図１１】図１０の巻回体を巻き戻した長尺シートを示す模式的斜視図である。
【発明を実施するための形態】
【００１１】
最初に、本発明の原理を図１及び図２に沿って説明する。
図１は、長尺シート１が巻取芯材２に巻付けられている本発明の巻回体において、長尺シート１の巻付け開始端部３及び空隙部４が挿入カバー１１によって覆われる状態を示す模式的部分拡大断面図である。図１に示すように、長尺シート１の第１周巻付層１ａの巻付け開始端部３と巻取芯材２の表面との段差によって生成する空隙部４は、本発明で用いる挿入カバー１１によって覆われるので、長尺シート１の第２周巻付層１ｂ及びその後の巻付層には、前記空隙部４に起因する段差跡は発生しないか、あるいは大幅に軽減する。なお、本発明で用いる挿入カバー１１の巻付上流側端部１１Ａと、巻取芯材２の表面との間に新たに空隙部５Ａが発生し、同様に、挿入カバー１１の巻付下流側端部１１Ｂと、長尺シート１の第１周巻付層１ａの表面との間にも新たに空隙部５Ｂが発生する。しかしながら、挿入カバー１１の厚さ（ｈ）は、長尺シート１の厚さ（Ｈ）よりも薄く、従って、挿入カバー１１の各端部、すなわち、巻付上流側端部１１Ａ及び巻付下流側端部１１Ｂの厚さ（ｈ）は、それぞれ長尺シート１の厚さ（Ｈ）よりも薄いので、空隙部５Ａ及び空隙部５Ｂの影響による段差跡は、規模が縮小する。すなわち、段差跡を形成する長尺シート層の巻付け周回数が減少する。また、挿入カバー１１の各端部の厚さ（ｈ）を薄くすることによって、その影響を更に縮小させることができる。
【００１２】
挿入カバーの両端部の厚さのみを、中央部と比較して薄くすることもできる。この態様を図２に示す。図２に示す挿入カバー１２では、各端部、すなわち、巻付上流側端部１２Ａ及び巻付下流側端部１２Ｂの厚さ（ｈ１）が、中央部の厚さ（ｈ２）よりも薄い。従って、巻付上流側端部１２Ａと巻取芯材２の表面との間に形成される空隙部、及び巻付下流側端部１２Ｂと長尺シート１の第１周巻付層１ａの表面との間に形成される空隙部の規模を大幅に縮小させることができる。その一方で、比較的に厚い中央部により、その上に多数回にわたり巻回される長尺シート１によって付加される締付力に対抗することもできる。
【００１３】
本発明による巻回体を形成する際には、例えば、図１に示すように、巻取芯材２の表面に、長尺シート１の巻付け開始端部３を、例えば、粘着テープなどで貼着し、続いて、巻付け開始端部３の全幅（幅方向全体）に亘って、挿入カバー１１を直接に（すなわち、巻付け開始端部３と直接に接触させた状態で）覆い、その状態で、巻付け開始端部３の巻付けを実施する。こうして、段差跡を解消した巻回体を形成することができる。なお、巻取芯材２の表面に、長尺シート１の巻付け開始端部３を、例えば、粘着テープなどで貼着し、続いて、長尺シート１で１周ないし数周の巻付けを行った後から、挿入カバー１１で被覆することもできる。挿入カバーで覆う場合に、厳密な位置決めは不要であり、挿入カバーの中央部を段差発生部位に大まかに当てはめればよい。
【００１４】
本発明で用いる挿入カバーは、長尺シートとは別途に用意して、巻回体を形成する際に長尺シートに沿わせて使用することができるが、あるいは、長尺シートの表面に予め貼着させておくこともできる。長尺シート表面に予め貼着させておく代表的態様を、図３〜図５（模式的部分断面図）に示す。図３は、図１に示す態様の挿入カバー１１を、長尺シート１の巻付け開始端部３から長さ方向（図３の矢印Ｓ）に内側の表面に貼着させた積層部６を含有する長尺シート１を示す。この積層部含有長尺シート１を、挿入カバー担持面１Ａ側で巻取芯材に巻き付けると、図１に示すように、長尺シート１の第２周巻付層１ｂの巻回操作に伴って、挿入カバー１１が巻付け開始端部３の上方に配置されるので、段差跡を軽減ないし解消することができる。挿入カバー１１を貼着する際の位置調節に厳密性は要求されないので、貼着操作は非常に簡単である。なお、長尺シート１を巻き戻して使用する際には、挿入カバー１１を使用しないので、挿入カバー１１を長尺シート１に貼着する際には、剥離可能に貼着する。
【００１５】
図４は、図２に示す態様の挿入カバー１２を、長尺シート１の巻付け開始端部３から長さ方向（図４の矢印Ｓ）に内側の表面に貼着させた積層部６を含有する長尺シート１を示す。図５は、長尺状挿入カバー１３を、長尺シート１の巻付け開始端部３から長さ方向（図５の矢印Ｓ）に内側の表面に貼着させた積層部６を含有する長尺シート１を示す。なお、図５に示す態様の前記長尺状挿入カバー１３においては、その巻付上流側端部１３Ａの厚さが他の部分の厚さよりも薄くしてあるが、長尺状挿入カバーの厚さを全体的に均一にしてもよい。長尺状挿入カバー１３の巻付下流側端部の位置は特に限定されず、長尺シート１の巻付け開始端部３と反対側の端部と一致させてもよい。なお、図４及び図５に示す長尺シート１も、挿入カバー担持面１Ａ側で巻取芯材に巻き付ける。
【００１６】
本発明は、貯蔵や輸送の便宜のために、円柱状又は円筒状の巻取芯材（例えば、紙管）に巻き付けて保存又は輸送し、使用する際には巻取芯材から巻き戻して平坦な状態で用いる任意の長尺シートに有効に適用することができる。特に、巻取芯材に巻き付けられた際の前記段差の影響により、巻き戻した場合に段差跡が形成される長尺シートに対し、その段差跡の低減ないし解消に有効である。このような長尺シートとしては、例えば、粘着テープ、床材シート、又はディスプレイ部材形成フィルムなどを挙げることができる。
【００１７】
本発明で用いる挿入カバーの厚さは、前記長尺シートの厚さ（Ａ）と前記挿入カバーの端部の厚さ（Ｂ）との比（Ｂ／Ａ）が２／３以下、好ましくは１／２以下である。前記比（Ｂ／Ａ）を２／３以下とすることにより、有効に段差跡を低減ないし解消することができる。前記比（Ｂ／Ａ）の下限は特に限定されないが、例えば、１／２０である。本発明で用いる挿入カバーは、図１に示すように、その厚さが全体的に一様であるか、あるいは図２に示すように、中央部を厚くし、両端部（あるいは一方の端部）を薄くすることもできる。中央部を厚くする場合も、その中央部の最大厚さを、長尺シートの厚さより薄くすることが好ましい。
【００１８】
本発明で用いる挿入カバーの長さ方向の長さは、図１〜図５に示すように特に限定されない。下限としては、図１及び図２に示すように、前記長尺シートの巻付け開始端部を被い、前記段差を解消することのできる長さである限り限定されず、例えば、使用する巻取芯材外周面の円周（Ｓ）に対する長さ（Ｌ）の比（Ｌ／Ｓ）として、好ましくは１／１０以上、より好ましくは１／５以上である。上限も限定されず、例えば、図５に示す長尺状挿入カバーのように、長尺シートの巻付け終了端部（巻き戻し開始端部）に一致させることもできる。また、図１及び図２に示すように、長尺シート１の第１周巻付層１ａと第２周巻付層１ｂとの間にのみ介在させる場合には、使用する巻取芯材外周面の円周（Ｓ）に対する長さ（Ｌ）の比（Ｌ／Ｓ）として、好ましくは１／２以下、より好ましくは１／３以下とすることができる。また、幅方向の長さは、長尺シートの幅と同じにするか、あるいは長尺シートの幅よりも広くすることもできる。
【００１９】
本発明で用いる挿入カバーの材料も特に限定されないが、巻取芯材の外径に応じて適切な反発パラメータを示す材料を用いるのが好ましい。前記反発パラメータは、好ましくは３ｇ〜２０００ｇ、より好ましくは５ｇ〜１５０ｇである。前記反発パラメータを有する材料は、材料の種類と厚さとを適宜選択することにより、適切に用意することができる。本明細書において反発パラメータは、以下の方法で測定した値である。
最初に、測定対象の材料から、測定対象厚さを有するサンプル（３０ｍｍ×１００ｍｍ）を準備する。続いて、図６（模式的斜視図）に示すように、前記サンプル２１を、１対の載置台２２，２２の上に載せる。各載置台２２，２２は、それぞれ、厚さが２ｍｍ、高さが１０ｍｍ、そして奥行き（図６のｗ）が２０ｍｍである。これらの載置台２２，２２相互の間隔（図６のｄ）は、２５ｍｍとする。この１対の載置台２２，２２の上に、前記サンプル２１の中央部が載置台２２，２２の間隙の中央部に位置するように載置する。次に、前記サンプル２１の中央部に、押圧プローブ２３の先端部２４を押し当ててから、巻取芯材の外径に応じて予め定めてあるストローク（押し込み長さ）まで、押圧プローブ２３を矢印Ｐの方向に２０ｍｍ／分の速度で押し下げて図７に示す状態とし、その所定ストローク（図７のＤ）だけ押し下げた変形の際に測定される反発力を「反発パラメータ」とする。なお、前記押圧プローブ２３の先端部２４は、図８に示すように、幅（図８のｆ）が１ｍｍの平坦接触部を有している。
【００２０】
巻取芯材の外径に応じて予め定めてあるストローク（Ｄ）は、
Ｄ＝ｒ−（ｒ２−１２．５×１２．５）１／２
（ここで、ｒは、巻取芯材外径の半径である）
によって、巻取芯材外径の半径に応じて計算することができる。なお、巻取芯材外径の半径（ｒ）と所定ストローク（Ｄ）との関係を図９に示す。図９において、ｄは、図６に示す載置台２２，２２相互の間隔（２５ｍｍ）である。図９において、直角三角形の３辺（ｒとａとｄ／２）には三平方の定理から、
ｒ２＝ａ２＋（ｄ／２）２
の関係が成立し、
ａ＝〔ｒ２−（ｄ／２）２〕１／２
となる。一方、
「Ｄ＝ｒ−ａ」であり、「ｄ＝２５ｍｍ」であるから、前記計算式：
Ｄ＝ｒ−（ｒ２−１２．５×１２．５）１／２
が得られる。
【００２１】
挿入カバーとしては、可撓性の樹脂シート、金属シート、又は紙類材料シートなどから適宜選択することができる。巻取芯材も特に限定されず、例えば、粘着シート用の巻取芯材としては、内径が３インチの紙管や、内径が６インチ〜１０インチの紙管などが通常使用されており、これらの紙管に対して本発明を有利に利用することができる。
【実施例】
【００２２】
以下、実施例によって本発明を具体的に説明するが、これらは本発明の範囲を限定するものではない。
【００２３】
《長尺シート製造例》
（１）長尺シートＡの製造
両面に剥離処理を施したポリエチレンテレフタレート（ＰＥＴ）フィルム（厚さ＝１００μｍ）の一方の表面上に、アクリル系粘着剤〔東洋インキ製造(株)製；ＢＰＳ５６２６〕を層厚が５０μｍになるように塗布し、乾燥させた。続いて、発泡体（厚み＝１１００μｍ）を前記アクリル系粘着剤層に貼り合わせて、積層体１を製造した。
一方、両面に剥離処理を施した剥離紙（厚さ＝１５０μｍ）の一方の表面上に、アクリル系粘着剤〔東洋インキ製造(株)製；ＢＰＳ５６２６〕を５０μｍになるように塗布して、乾燥させ、アクリル系粘着剤層を前記積層体１の発泡体層表面と貼り合わせて長尺シートＡ（合計厚さ＝１４５０μｍ）を製造した。
【００２４】
（２）長尺シートＢの製造
両面に剥離処理を施したポリエチレンテレフタレート（ＰＥＴ）フィルム（厚さ＝７５μｍ）の一方の表面上に、アクリル系粘着剤〔東洋インキ製造(株)製；ＢＰＳ５６２６〕を層厚が５０μｍになるように塗布し、乾燥させた。続いて、ポリエチレンテレフタレートフィルム（厚み＝１２５μｍ）を前記アクリル系粘着剤層に貼り合わせて、積層体２を製造した。
一方、両面に剥離処理を施した剥離紙（厚さ＝１５０μｍ）の一方の表面上に、アクリル系粘着剤〔東洋インキ製造(株)製；ＢＰＳ５６２６〕を５０μｍになるように塗布して、乾燥させ、アクリル系粘着剤層を前記積層体２の厚さ１２５μｍのＰＥＴフィルム層表面と貼り合わせて長尺シートＢ（合計厚さ＝４５０μｍ）を製造した。
【００２５】
（３）長尺シートＣの製造
両面に剥離処理を施したポリエチレンテレフタレート（ＰＥＴ）フィルム（厚さ＝２５μｍ）の一方の表面上に、アクリル系粘着剤〔東洋インキ製造(株)製；ＢＰＳ５６２６〕を層厚が５０μｍになるように塗布し、乾燥させた。続いて、ポリエチレンテレフタレートフィルム（厚み＝５０μｍ）を前記アクリル系粘着剤層に貼り合わせて、積層体３を製造した。
一方、両面に剥離処理を施した剥離紙（厚さ＝７５μｍ）の一方の表面上に、アクリル系粘着剤〔東洋インキ製造(株)製；ＢＰＳ５６２６〕を５０μｍになるように塗布して、乾燥させ、アクリル系粘着剤層を前記積層体３の厚さ５０μｍのＰＥＴフィルム層表面と貼り合わせて長尺シートＣ（合計厚さ＝２５０μｍ）を製造した。
【００２６】
《実施例１〜５及び比較例１〜２》
図１に示すタイプの厚さが均一の挿入カバーを用いて巻回体を作成し、段差跡の解消効果を確認した。
具体的には、前記長尺シートＡの巻付け開始端部を紙管（直径１００ｍｍ；幅５００ｍｍ）の表面に貼着し、前記巻付け開始端部と紙管表面とによって形成される空隙部を覆うように、表１に示す挿入カバーで覆った後、前記長尺シートＡを５０周巻付け、４０℃の環境下で３０日間保管した。なお、実施例４で用いた挿入カバーは、両面に剥離処理を施した剥離紙（厚さ＝１２５μｍ）の一方の表面上に厚さ５０μｍのアクリル系粘着剤層が積層されてなる積層体であった。
続いて、外周部分から順にテープを巻き戻し、紙管から何周目に段差が消えるかを目視にて以下の４段階で評価した。結果を表１に示す。
×・・・３０周以上
△・・・２０以上３０周未満
○・・・１０以上２０周未満
◎・・・１０周未満
【００２７】
《実施例６》
紙管として、直径１００ｍｍ及び幅５００ｍｍの紙管に代えて、直径２００ｍｍ及び幅５００ｍｍの紙管を用いること以外は、前記実施例１〜５と同様の操作を繰り返して巻回体を作成し、段差跡の解消効果を確認した。
【００２８】
《実施例７》
長尺シートとして、前記長尺シートＡを用いる代わりに、前記長尺シートＢを用いること以外は、前記実施例１〜５と同様の操作を繰り返して巻回体を作成し、段差跡の解消効果を確認した。
【００２９】
《実施例８及び比較例３》
長尺シートとして、前記長尺シートＡを用いる代わりに、前記前記長尺シートＣを用いること以外は、前記実施例１〜５と同様の操作を繰り返して巻回体を作成し、段差跡の解消効果を確認した。
【００３０】
【表１】
0005418656.tif 000002
【００３１】
《参考例》
種々の材料からなり、種々の厚さを有するプレートに関して、本発明における反発パラメータを測定すると共に、前記実施例１〜５に記載の方法によって段差跡の解消効果を確認した。評価は、以下の２段階で実施した。結果を表２に示す。
○・・・紙管から３０周目に段差が消える
×・・・紙管から３０周目に段差が消えない
【００３２】
【表２】
0005418656.tif 000003
【００３３】
表２において、「剥離紙」は両面に剥離処理を施した剥離紙（厚さ＝１２５μｍ）であり、「剥離紙＋粘着剤層」は両面に剥離処理を施した剥離紙（厚さ＝１２５μｍ）の一方の表面上に厚さ５０μｍのアクリル系粘着剤層が積層されてなる積層体である。
【産業上の利用可能性】
【００３４】
長尺シート状の原反（紙、プラスチックフィルム、又は金属箔等）や、粘着テープもしくは床材、あるいは家庭において使用するラップフィルム又はアルミフォイル等を巻取芯材に巻回する際に、本発明の挿入カバーを用いることによって、段差跡の発生を低減ないし防止することができる。
【符号の説明】
【００３５】
１・・・長尺シート；１ａ・・・第１周巻付層；１ｂ・・・第２周巻付層；
２・・・巻取芯材；３・・・巻付け開始端部；４・・・空隙部；
５Ａ・・・空隙部；５Ｂ・・空隙部；６・・・積層部；
１１，１２・・・挿入カバー；１１Ａ，１２Ａ，１３Ａ・・・巻付上流側端部；
１１Ｂ，１２Ｂ・・・巻付下流側端部；１３・・・長尺状挿入カバー；
２１・・・サンプル；２２・・・載置台；２３・・・押圧プローブ；
２４・・・先端部；４０・・・巻回体；４１・・・長尺シート；
４２・・・巻付け開始端部；４３・・・巻取芯材；４４・・・空隙部；
４５・・・窪み；４６・・・段差跡。
【図１】
0005418656.tif 000004
【図２】
0005418656.tif 000005
【図３】
0005418656.tif 000006
【図４】
0005418656.tif 000007
【図５】
0005418656.tif 000008
【図６】
0005418656.tif 000009
【図７】
0005418656.tif 000010
【図８】
0005418656.tif 000011
【図９】
0005418656.tif 000012
【図１０】
0005418656.tif 000013
【図１１】
0005418656.tif 000014